【手続補正書】
【提出日】平成15年10月7日(2003.10.7)
【手続補正１】
【補正対象書類名】明細書
【補正対象項目名】特許請求の範囲
【補正方法】変更
【補正の内容】
【特許請求の範囲】
【請求項１】
主偏光状態を有する光ファイバ（４２０）内で発生する偏光モード分散の影響を補償する補償器（４２５）において、
（Ａ）光ファイバ（４２０）を介して受信する光学信号の特定の成分の偏光を再度方向付ける偏光変換器（４３０）と、
（Ｂ）前記偏光変換器の出力信号を、２つの主偏光状態のそれぞれの状態に直交する方向に偏光状態を有する所定の数の信号に分割し、この分割された信号を可変の時間、遅延させる装置（４４０、４８５、４８７）と、
（Ｃ）前記（Ｂ）装置により出力された信号の一部を電気信号に変換する光学コンバータ（４５５）と、この変換された信号を複数の信号に分離（８１０）し、この分離した信号をそれぞれ第１と第２と第３のアナライザ部分（８２０、８２５、８４０）に与える装置とを有する歪みアナライザと、
を有し、
前記第１アナライザ部分（８２０）は、出力信号のスペクトラム全体を通過させ、
前記第２アナライザ部分（８２５）は、所定の周波数以下のスペクトラムの一部のみを通過させ、
前記第３アナライザ部分（８４０）は、スペクトラム全体の所定の範囲のみを通過させ、
前記（Ｃ）歪みアナライザは、前記第１と第２のアナライザ部分の出力を加算（８５１，８５２）し、前記加算された値から第３アナライザ部分の出力を減算（８５３）して、歪みインジケータを生成し、この歪みインジケータ（４７１）を前記偏光変換器（４３０）と前記（Ｂ）分割装置（４４０）に与え、
前記偏光変換器と、前記（Ｂ）装置は、歪みインジケータのレベルの変化に応じて、前記歪みインジケータのレベルが所定のレベルに達するまで、前記偏光状態の方向と前記可変時間とをそれぞれ変化させる
ことを特徴とする光ファイバの偏光モード分散を補償する補償器。
【請求項２】
主偏光状態を有する光ファイバ内で発生する偏光モード分散の影響を補償する補償器において、
（Ａ）光ファイバを介して受信する光学信号の特定の成分の偏光を再度方向付ける偏光変換器と、
（Ｂ）前記偏光変換器の出力に与えられる信号を、２つの主偏光状態のそれぞれの状態に直交する方向に偏光状態を有する複数の信号に分割し、この分割された信号を可変の時間、遅延させる装置と、
（Ｃ）前記（Ｂ）の装置により出力された信号の一部を所定の信号に変換し、この変換された信号からＡＣ成分信号とＤＣ成分信号を生成する光学コンバータを有する受信器とからなり、
前記受信器は、ＡＣ成分信号を歪みアナライザに与え、この歪みアナライザがＡＣ成分内の少なくとも一次ＰＭＤ歪みのレベルを測定し、この歪みのレベルを表す信号を出力し、ＤＣ成分を信号二乗回路に与え、さらに前記補償器は、
（Ｄ）前記歪みを表す信号のレベルを、二乗された信号のレベルで割算し、その結果得られた商の信号を歪みインジケータとして偏光変換器と前記（Ｂ）装置に与える割算手段と、
からなり、
前記偏光変換器と、前記（Ｂ）装置は、歪みインジケータのレベルの変化に応じて、前記歪みインジケータのレベルが所定のレベルに達するまで、前記偏光状態の方向と、前記可変時間とをそれぞれ変化させる
ことを特徴とする光ファイバの偏光モード分散を補償する補償器。
【請求項３】
主偏光状態を有する光ファイバ（４２０）内で発生する偏光モード分散の影響を補償する補償器（４２５）において、
（Ａ）光ファイバ（４２０）を介して受信する光学信号の特定の成分の偏光を再度方向付ける偏光変換器（４３０）と、
（Ｂ）前記偏光変換器の出力信号を、２つの主偏光状態のそれぞれの状態に直交する方向に偏光状態を有する所定の数の信号に分割し、この分割された信号を可変の時間遅延させる可変複屈折構成要素（４４０、４８５、４８７）と、
（Ｃ）前記（Ｂ）可変複屈折構成要素により出力された信号の一部を電気信号に変換する高速光検出器（４５５）と、この変換された信号を複数の信号に分離（８１０）し、この分離した信号をそれぞれ第１と第２と第３のアナライザ部分（８２０、８２５、８４０）に与える装置とを有する歪みアナライザと、
を有し、
前記第１アナライザ部分（８２０）は、出力信号のスペクトラム全体を通過させ、
前記第２アナライザ部分（８２５）は、所定の周波数以下のスペクトラムの一部のみを通過させ、
前記第３アナライザ部分（８４０）は、スペクトラム全体の所定の範囲のみを通過させ、
前記（Ｃ）歪みアナライザは、前記第１と第２のアナライザ部分の出力を加算（８５１，８５２）し、前記加算された値から第３アナライザ部分の出力を減算（８５３）して、歪みインジケータを生成し、この歪みインジケータ（４７１）を前記偏光変換器（４３０）と前記（Ｂ）可変複屈折構成要素（４４０）に与え、
前記偏光変換器と、前記（Ｂ）可変複屈折構成要素は、歪みインジケータのレベルの変化に応じて、前記歪みインジケータのレベルが所定のレベルに達するまで、前記偏光状態の方向と前記可変時間とをそれぞれ変化させる
ことを特徴とする光ファイバの偏光モード分散を補償する補償器。
【請求項４】
前記第１アナライザ部分は、ブロードバンド電力検出器を有し、
前記第２アナライザ部分は、ブロードバンド電力検出器に直列に接続されたロウパスフィルタを有し、
前記第３アナライザ部分は、ブロードバンド電力検出器に直列に接続されたバンドパスフィルタを有する
ことを特徴とする請求項３記載の補償器。
【請求項５】
高周波（ＡＣ）成分と低周波（ＤＣ）成分を生成するために、出力された信号の前記部分を処理する周波数スプリッタであって、
前記スプリッタは、複数の信号を生成するために、前記ＡＣ成分を前記スプリッタに与え、
前記ＤＣ成分の値を二乗する信号二乗手段に、前記ＤＣ成分を供給する前記スプリッタと、
前記減算された値を、二乗された信号の値でもって割算する割算手段であって、
この割算の商を前記歪みインジケータとして出力する前記割算手段
をさらに有することを特徴とする請求項３記載の補償器。
【請求項６】
前記可変複屈折構成要素は、２つの複屈折ファイバーの間に構成された第２の偏光変換器からなる請求項３記載の補償器。
【請求項７】
主偏光状態を有する光ファイバ内で発生する偏光モード分散の影響を補償する補償器において、
（Ａ）光ファイバを介して受信する光学信号の特定の成分の偏光を再度方向付ける偏光変換器と、
（Ｂ）前記偏光変換器の出力に与えられる信号を、２つの主偏光状態のそれぞれの状態に直交する方向に偏光状態を有する複数の信号に分割し、この分割された信号に可変の時間、遅延させる可変複屈折構成要素と、
（Ｃ）前記（Ｂ）可変複屈折構成要素により出力された信号の一部を電気信号に変換する高速光検出器（４５５）と、
（Ｄ）前記（Ｃ）の装置により出力された信号の一部を所定の信号に変換し、この変換された信号からＡＣ成分信号とＤＣ成分信号を生成する周波数スプリッタであって、
前記周波数スプリッタは、ＡＣ成分信号を歪みアナライザに与え、この歪みアナライザがＡＣ成分内の少なくとも一次ＰＭＤ歪みのレベルを測定し、この歪みのレベルを表す信号を出力し、ＤＣ成分を信号二乗回路に与える前記周波数スプリッタと、
（Ｅ）前記歪みを表す信号のレベルを、二乗された信号のレベルで割算し、その結果得られた商の信号を歪みインジケータとして偏光変換器と前記（Ｃ）可変複屈折構成要素に与える割算手段と、
からなり、
前記偏光変換器と、前記（Ｃ）可変複屈折構成要素は、歪みインジケータのレベルの変化に応じて、前記歪みインジケータのレベルが所定のレベルに達するまで、前記偏光状態の方向と、前記可変時間とをそれぞれ変化させる
ことを特徴とする光ファイバの偏光モード分散を補償する補償器。
【請求項８】
前記（Ｄ）歪みアナライザは、ＡＣ成分信号を複数の信号に分離（８１０）し、この分離した信号をそれぞれ第１と第２と第３のアナライザ部分（８２０、８２５、８４０）に与え、
前記第１アナライザ部分（８２０）は、出力信号のスペクトラム全体を通過させ、
前記第２アナライザ部分（８２５）は、所定の周波数以下のスペクトラムの一部のみを通過させ、
前記第３アナライザ部分（８４０）は、スペクトラム全体の所定の範囲のみを通過させ、
前記（Ｄ）歪みアナライザは、前記第１と第２のアナライザ部分の出力を加算（８５１，８５２）し、前記加算された値から第３アナライザ部分の出力を減算（８５３）して、この減算結果を前記（Ｅ）割算手段の分子として与える
ことを特徴とする請求項７記載の補償器。
【請求項９】
前記歪みアナライザは、ＡＣ成分を複数の信号に分割して、この分割された信号を第１部分と第２部分に与えるスプリッタを有し、
前記第１部分は、ブローバンド電力検出器を有し、
前記第２部分は、ブロードバンド電力検出器に直列に接続されたロウパスフィルタを有し、
前記歪みアナライザはさらに、前記第１部分と第２部分の出力を結合し、この結合された信号を割算手段に与える加算回路を有する
ことを特徴とする請求項７記載の補償器。
【請求項１０】
前記歪みインジケータは、フィードバック電圧である
ことを特徴とする請求項７記載の補償器。